(57)【要約】【課題】  展示会場のような広い空間においても正確に位置を検出して、検出した位置情報を、展示会の来場者が所持する携帯端末に送出し、目的のブースへ誘導するシステムを提供することを目的とする。【解決手段】  予め来場者を識別する識別情報を書き込んだ無線発信装置と、無線発信装置から発信される識別情報を読み取る少なくとも３つ以上の受信装置と、受信装置の会場内における位置を保持する受信装置位置データベースと、識別情報を受信した受信装置の位置を受信装置位置データベースから検出する手段を有するサーバからなり、無線発信装置から発信される電波を、受信した複数の受信装置の中から受信レベルの高い順に上から３つの受信装置を選択し、選択された受信装置をそれぞれ結んだ３角点内に発信装置が存在することとして来場者の位置を特定する。来場者の携帯端末からサーバへアクセスすると、来場者の携帯端末の画面上に会場案内図上に目的のブースまたは店舗が表示され、会場内に入ると、来場者の位置と目的のブースまたは店舗との位置関係がわかる。【選択図】  図１
2006023129.tif 000002
【特許請求の範囲】
【請求項１】
ユーザによって携帯され、識別情報を含む電波信号を発信する無線発信装置と、
屋内に設置され、前記無線発信装置から発信される前記電波信号を受信し、該電波信号に含まれる前記識別情報を読み取り、該電波信号受信時の受信レベルと、前記識別情報と、設置位置を示す受信装置番号とを発信する、少なくとも３つ以上の受信装置と、
前記少なくとも３つ以上の受信装置から、前記受信レベル、前記識別情報、及び前記受信装置番号を受信するサーバ装置と、
を有する位置情報検出システムであって、
前記サーバ装置は、
前記受信装置の位置情報を保持する受信装置位置記憶手段と、
前記受信装置番号と、前記受信装置位置記憶手段に保持される前記受信装置の位置情報とを照合して前記少なくとも３つ以上の受信装置を特定し、該特定された受信装置の受信レベルの高い順に複数の受信装置を選択し、該選択された受信装置をそれぞれ結んだ領域内に前記識別情報があるかどうかを判断する無線発信装置位置特定手段とを有し、
屋内における前記無線発信装置の位置を特定することを特徴とする位置情報検出システム。
【請求項２】
前記ユーザが携帯する携帯端末と、前記サーバ装置とがネットワークを介して接続され、
前記携帯端末は、前記サーバ装置へのアクセスにより、前記携帯端末の画面に前記ユーザの位置を表示することを特徴とする請求項１記載の位置情報検出システム。
【請求項３】
前記ユーザが携帯する携帯端末と、前記サーバ装置とがネットワークを介して接続され、
前記ユーザにより予め目的の場所が前記サーバ装置に登録されている場合、前記携帯端末は、前記サーバ装置へのアクセスにより、前記携帯端末の画面上に前記目的の場所を表示し、かつ、前記ユーザの現在位置と、前記目的の場所との位置関係を表示することを特徴とする請求項１又は２記載の位置情報検出システム。
【請求項４】
前記無線発信装置は、内部に電池を内蔵して、自ら電波を発信するアクティブ型ＲＦＩＤであることを特徴とする請求項１から３のいずれか１項に記載の位置情報検出システム。
【請求項５】
前記無線発信装置は、前記少なくとも３つ以上の受信装置からの電波を受信すると、電磁誘導により起電力が発生して、電波を発信するパッシブ型ＲＦＩＤであることを特徴とする請求項１から３のいずれか１項に記載の位置情報検出システム。
【請求項６】
前記少なくとも３つ以上の受信装置のそれぞれと接続され、
該各受信装置を制御する受信装置制御部と、
該各受信装置から受信した、前記識別情報、前記受信レベル、及び前記受信装置番号を前記サーバ装置へ転送する転送部と、
を有する集約装置をさらに有することを特徴とする請求項１から５のいずれか１項に記載の位置情報検出システム。
【請求項７】
前記サーバ装置と接続され、前記ネットワークを介して外部端末からのアクセス制御及び各種データの送受信を行う通信装置をさらに有することを特徴とする請求項１から６のいずれか１項に記載の位置情報検出システム。
【請求項８】
前記携帯端末は、ブラウザが搭載されたインターネット接続型携帯端末装置であることを特徴とする請求項２又は３記載の位置情報検出システム。
【請求項９】
前記サーバ装置は、
前記受信装置番号と、所定の時間における該受信装置番号に対応する受信装置の受信レベルを格納する受信レベルテーブルと、
前記識別情報と、所定の時間における該識別情報に対応する無線発信装置の位置情報を格納する位置情報テーブルと、
を有することを特徴とする請求項１から８のいずれか１項に記載の位置情報検出システム。
【請求項１０】
前記サーバ装置は、所定の時間毎に、前記集約装置又は前記各受信装置に対して、前記各受信装置の受信レベルを測定するように指示を出すことを特徴とする１から９のいずれか１項に記載の位置情報検出システム。
【請求項１１】
前記サーバ装置は、前記集約装置又は前記各受信装置から前記各受信装置の受信レベルを受信後、前記受信レベルテーブルを更新することを特徴とする請求項９又は１０記載の位置情報検出システム。
【請求項１２】
前記サーバ装置は、前記無線発信装置位置特定手段による前記無線発信装置の位置特定の後、前記位置情報テーブルを更新することを特徴とする請求項９から１１のいずれか１項に記載の位置情報検出システム。
【請求項１３】
前記無線発信装置位置特定手段は、前記特定された受信装置の受信レベルの高い順に３つの受信装置を選択し、該選択された受信装置をそれぞれ結んだ三角形の領域内に前記識別情報があるかどうかを判断することを特徴とする請求項１記載の位置情報検出システム。
【請求項１４】
ユーザによって携帯される無線発信装置が、識別情報を含む電波信号を発信するステップと、
屋内に設置される少なくとも３つ以上の受信装置が、前記無線発信装置から発信される前記電波信号を受信し、該電波信号に含まれる前記識別情報を読み取り、該電波信号受信時の受信レベルと、前記識別情報と、設置位置を示す受信装置番号とを発信するステップと、
サーバ装置が、前記少なくとも３つ以上の受信装置から、前記受信レベル、前記識別情報、及び前記受信装置番号を受信するステップと、
前記サーバ装置が、前記受信装置番号と、受信装置位置記憶手段に保持される前記受信装置の位置情報とを照合して前記少なくとも３つ以上の受信装置を特定するステップと、
該特定された受信装置の受信レベルの高い順に複数の受信装置を選択するステップと、
該選択された受信装置をそれぞれ結んだ領域内に前記識別情報があるかどうかを判断するステップとを有し、
屋内における前記無線発信装置の位置を特定することを特徴とする位置情報検出方法。
【請求項１５】
前記ユーザが携帯する携帯端末と、前記サーバ装置とがネットワークを介して接続され、
前記携帯端末は、前記サーバ装置へのアクセスにより、前記携帯端末の画面に前記ユーザの位置を表示することを特徴とする請求項１４記載の位置情報検出方法。
【請求項１６】
前記ユーザが携帯する携帯端末と、前記サーバ装置とがネットワークを介して接続され、
前記ユーザにより予め目的の場所が前記サーバ装置に登録されている場合、前記携帯端末は、前記サーバ装置へのアクセスにより、前記携帯端末の画面上に前記目的の場所を表示し、かつ、前記ユーザの現在位置と、前記目的の場所との位置関係を表示することを特徴とする請求項１４又は１５記載の位置情報検出方法。
【請求項１７】
前記無線発信装置は、内部に電池を内蔵して、自ら電波を発信するアクティブ型ＲＦＩＤであることを特徴とする請求項１４から１６のいずれか１項に記載の位置情報検出方法。
【請求項１８】
前記無線発信装置は、前記少なくとも３つ以上の受信装置からの電波を受信すると、電磁誘導により起電力が発生して、電波を発信するパッシブ型ＲＦＩＤであることを特徴とする請求項１４から１６のいずれか１項に記載の位置情報検出方法。
【請求項１９】
前記少なくとも３つ以上の受信装置のそれぞれと接続された集約装置が、該各受信装置から受信した、前記識別情報、前記受信レベル、及び前記受信装置番号を前記サーバ装置へ転送する転送ステップと、
をさらに有することを特徴とする請求項１４から１８のいずれか１項に記載の位置情報検出方法。
【請求項２０】
前記サーバ装置が、前記受信装置番号と、所定の時間における該受信装置番号に対応する受信装置の受信レベルを格納するステップと、
前記サーバ装置が、前記識別情報と、所定の時間における該識別情報に対応する無線発信装置の位置情報を格納するステップと、
をさらに有することを特徴とする請求項１４から１９のいずれか１項に記載の位置情報検出方法。
【請求項２１】
前記サーバ装置は、所定の時間毎に、前記集約装置又は前記各受信装置に対して、前記各受信装置の受信レベルを測定するように指示を出すことを特徴とする１４から２０のいずれか１項に記載の位置情報検出方法。
【請求項２２】
前記サーバ装置は、前記集約装置又は前記各受信装置から前記各受信装置の受信レベルを受信後、前記受信レベルテーブルを更新することを特徴とする請求項２０又は２１記載の位置情報検出方法。
【請求項２３】
前記サーバ装置は、前記無線発信装置位置特定手段による前記無線発信装置の位置特定の後、前記位置情報テーブルを更新することを特徴とする請求項２０から２２のいずれか１項に記載の位置情報検出方法。
【請求項２４】
前記選択された受信装置をそれぞれ結んだ領域内に前記識別情報があるかどうかを判断するステップにおいて、前記特定された受信装置の受信レベルの高い順に３つの受信装置を選択し、該選択された受信装置をそれぞれ結んだ三角形の領域内に前記識別情報があるかどうかを判断することを特徴とする請求項１４記載の位置情報検出方法。
【請求項２５】
ユーザによって携帯され、識別情報を含む電波信号を発信する無線発信装置と、
屋内に設置され、前記無線発信装置から発信される前記電波信号を受信し、該電波信号に含まれる前記識別情報を読み取り、該電波信号受信時の受信レベルと、前記識別情報と、設置位置を示す受信装置番号とを発信する、少なくとも３つ以上の受信装置と、
前記少なくとも３つ以上の受信装置から、前記受信レベル、前記識別情報、及び前記受信装置番号を受信するサーバ装置であって、
前記受信装置の位置情報を保持する受信装置位置記憶手段と、
前記受信装置番号と、前記受信装置位置記憶手段に保持される前記受信装置の位置情報とを照合して前記少なくとも３つ以上の受信装置を特定し、該特定された受信装置の受信レベルの高い順に複数の受信装置を選択し、該選択された受信装置をそれぞれ結んだ領域内に前記識別情報があるかどうかを判断する無線発信装置位置特定手段とを有し、
屋内における前記無線発信装置の位置を特定することを特徴とするサーバ装置。
【請求項２６】
前記受信装置番号と、所定の時間における該受信装置番号に対応する受信装置の受信レベルを格納する受信レベルテーブルと、
前記識別情報と、所定の時間における該識別情報に対応する無線発信装置の位置情報を格納する位置情報テーブルと、
をさらに有することを特徴とする請求項２５記載のサーバ装置。
【請求項２７】
所定の時間毎に、前記集約装置又は前記各受信装置に対して、前記各受信装置の受信レベルを測定するように指示を出すことを特徴とする２５又は２６記載のサーバ装置。
【請求項２８】
前記集約装置又は前記各受信装置から前記各受信装置の受信レベルを受信後、前記受信レベルテーブルを更新することを特徴とする請求項２５から２７のいずれか１項に記載のサーバ装置。
【請求項２９】
前記無線発信装置位置特定手段による前記無線発信装置の位置特定の後、前記位置情報テーブルを更新することを特徴とする請求項２５から２８のいずれか１項に記載のサーバ装置。
【請求項３０】
前記無線発信装置位置特定手段は、前記特定された受信装置の受信レベルの高い順に３つの受信装置を選択し、該選択された受信装置をそれぞれ結んだ三角形の領域内に前記識別情報があるかどうかを判断することを特徴とする請求項２５から２９のいずれか１項に記載のサーバ装置。
【発明の詳細な説明】
【技術分野】
【０００１】
本発明は、展示会場等の屋内において、携帯端末を所持する来場者を目的地まで誘導する位置情報検出システム、位置情報検出方法、及びサーバ装置に関する。
【背景技術】
【０００２】
従来、展示会や催事などではブースまたは店舗の配置を表した案内図を来場者に配り、来場者はその案内図を頼りに、目的のブースまたは店舗を捜し歩いていた。
また、施設利用者の位置情報をＩＣタグを利用して検出する技術としては、特許文献１に開示される「位置情報提供システム、位置情報提供装置、位置情報提供方法、コンピュータ読み取り可能な記録媒体およびコンピュータプログラム」がある。
【特許文献１】特開２００３−６１１３１号公報
【発明の開示】
【発明が解決しようとする課題】
【０００３】
しかしながら、従来のような案内図を頼りに目的のブースを目指すとき、大規模な展示会場の場合、自分の位置と目的のブースの位置関係がわからないと容易にたどり着くことができない。
【０００４】
一方、特許文献１記載の発明は、非接触ＩＣタグを利用して、施設利用者にＩＣタグを持たせ、各部屋にＩＣタグを読み取る装置を設置して、ＩＣタグを持っている人物の位置を検出して、位置情報を送出することを特徴としているが、この方式によれば、ＩＣタグを検出する場合、電波を遮蔽する壁などで区切られた空間いわゆる部屋などであれば、問題ないが、展示会場のような、広い空間の中で特定位置を検出する場合には、ＩＣタグから発せられる電波が多方面に飛んでしまい、正確な位置を検出することができない。
【０００５】
本発明は上記課題を解決するためになされたものであり、展示会場のような広い空間においても正確に位置を検出して、検出した位置情報を、展示会の来場者が所持するインターネット接続対応型携帯端末または携帯電話に送出して、目的のブースへ誘導する位置情報検出システム、位置情報検出方法、及びサーバ装置を提供することを目的とする。
【課題を解決するための手段】
【０００６】
かかる目的を達成するために、請求項１記載の発明は、ユーザによって携帯され、識別情報を含む電波信号を発信する無線発信装置と、屋内に設置され、無線発信装置から発信される電波信号を受信し、電波信号に含まれる識別情報を読み取り、電波信号受信時の受信レベルと、識別情報と、設置位置を示す受信装置番号とを発信する、少なくとも３つ以上の受信装置と、少なくとも３つ以上の受信装置から、受信レベル、識別情報、及び受信装置番号を受信するサーバ装置と、を有する位置情報検出システムであって、サーバ装置は、受信装置の位置情報を保持する受信装置位置記憶手段と、受信装置番号と、受信装置位置記憶手段に保持される受信装置の位置情報とを照合して少なくとも３つ以上の受信装置を特定し、特定された受信装置の受信レベルの高い順に複数の受信装置を選択し、選択された受信装置をそれぞれ結んだ領域内に識別情報があるかどうかを判断する無線発信装置位置特定手段とを有し、屋内における無線発信装置の位置を特定することを特徴とする。
【０００７】
請求項２記載の発明は、請求項１記載の発明において、ユーザが携帯する携帯端末と、サーバ装置とがネットワークを介して接続され、携帯端末は、サーバ装置へのアクセスにより、携帯端末の画面にユーザの位置を表示することを特徴とする。
【０００８】
請求項３記載の発明は、請求項１又は２記載の発明において、ユーザが携帯する携帯端末と、サーバ装置とがネットワークを介して接続され、ユーザにより予め目的の場所がサーバ装置に登録されている場合、携帯端末は、サーバ装置へのアクセスにより、携帯端末の画面上に目的の場所を表示し、かつ、ユーザの現在位置と、目的の場所との位置関係を表示することを特徴とする。
【０００９】
請求項４記載の発明は、請求項１から３のいずれか１項に記載の発明において、無線発信装置は、内部に電池を内蔵して、自ら電波を発信するアクティブ型ＲＦＩＤであることを特徴とする。
【００１０】
請求項５記載の発明は、請求項１から３のいずれか１項に記載の発明において、無線発信装置は、少なくとも３つ以上の受信装置からの電波を受信すると、電磁誘導により起電力が発生して、電波を発信するパッシブ型ＲＦＩＤであることを特徴とする。
【００１１】
請求項６記載の発明は、請求項１から５のいずれか１項に記載の発明において、少なくとも３つ以上の受信装置のそれぞれと接続され、各受信装置を制御する受信装置制御部と、各受信装置から受信した、識別情報、受信レベル、及び受信装置番号をサーバ装置へ転送する転送部と、を有する集約装置をさらに有することを特徴とする。
【００１２】
請求項７記載の発明は、請求項１から６のいずれか１項に記載の発明において、サーバ装置と接続され、ネットワークを介して外部端末からのアクセス制御及び各種データの送受信を行う通信装置をさらに有することを特徴とする。
【００１３】
請求項８記載の発明は、請求項２又は３記載の発明において、携帯端末は、ブラウザが搭載されたインターネット接続型携帯端末装置であることを特徴とする請求項２又は３記載の位置情報検出システム。
【００１４】
請求項９記載の発明は、請求項１から８のいずれか１項に記載の発明において、サーバ装置は、受信装置番号と、所定の時間における受信装置番号に対応する受信装置の受信レベルを格納する受信レベルテーブルと、識別情報と、所定の時間における識別情報に対応する無線発信装置の位置情報を格納する位置情報テーブルと、を有することを特徴とする。
【００１５】
請求項１０記載の発明は、請求項１から９のいずれか１項に記載の発明において、サーバ装置は、所定の時間毎に、集約装置又は各受信装置に対して、各受信装置の受信レベルを測定するように指示を出すことを特徴とする。
【００１６】
請求項１１記載の発明は、請求項９又は１０記載の発明において、サーバ装置は、集約装置又は各受信装置から各受信装置の受信レベルを受信後、受信レベルテーブルを更新することを特徴とする。
【００１７】
請求項１２記載の発明は、請求項９から１１のいずれか１項に記載の発明において、サーバ装置は、無線発信装置位置特定手段による無線発信装置の位置特定の後、位置情報テーブルを更新することを特徴とする。
【００１８】
請求項１３記載の発明は、請求項１記載の発明において、無線発信装置位置特定手段は、特定された受信装置の受信レベルの高い順に３つの受信装置を選択し、選択された受信装置をそれぞれ結んだ三角形の領域内に識別情報があるかどうかを判断することを特徴とする。
【００１９】
請求項１４記載の発明は、ユーザによって携帯される無線発信装置が、識別情報を含む電波信号を発信するステップと、屋内に設置される少なくとも３つ以上の受信装置が、無線発信装置から発信される電波信号を受信し、電波信号に含まれる識別情報を読み取り、電波信号受信時の受信レベルと、識別情報と、設置位置を示す受信装置番号とを発信するステップと、サーバ装置が、少なくとも３つ以上の受信装置から、受信レベル、識別情報、及び受信装置番号を受信するステップと、サーバ装置が、受信装置番号と、受信装置位置記憶手段に保持される受信装置の位置情報とを照合して少なくとも３つ以上の受信装置を特定するステップと、特定された受信装置の受信レベルの高い順に複数の受信装置を選択するステップと、選択された受信装置をそれぞれ結んだ領域内に識別情報があるかどうかを判断するステップとを有し、屋内における無線発信装置の位置を特定することを特徴とする。
【００２０】
請求項１５記載の発明は、請求項１４記載の発明において、ユーザが携帯する携帯端末と、サーバ装置とがネットワークを介して接続され、携帯端末は、サーバ装置へのアクセスにより、携帯端末の画面にユーザの位置を表示することを特徴とする。
【００２１】
請求項１６記載の発明は、請求項１４又は１５記載の発明において、ユーザが携帯する携帯端末と、サーバ装置とがネットワークを介して接続され、ユーザにより予め目的の場所がサーバ装置に登録されている場合、携帯端末は、サーバ装置へのアクセスにより、携帯端末の画面上に目的の場所を表示し、かつ、ユーザの現在位置と、目的の場所との位置関係を表示することを特徴とする。
【００２２】
請求項１７記載の発明は、請求項１４から１６のいずれか１項に記載の発明において、無線発信装置は、内部に電池を内蔵して、自ら電波を発信するアクティブ型ＲＦＩＤであることを特徴とする。
【００２３】
請求項１８記載の発明は、請求項１４から１６のいずれか１項に記載の発明において、無線発信装置は、少なくとも３つ以上の受信装置からの電波を受信すると、電磁誘導により起電力が発生して、電波を発信するパッシブ型ＲＦＩＤであることを特徴とする。
【００２４】
請求項１９記載の発明は、請求項１４から１８のいずれか１項に記載の発明において、少なくとも３つ以上の受信装置のそれぞれと接続された集約装置が、各受信装置から受信した、識別情報、受信レベル、及び受信装置番号をサーバ装置へ転送する転送ステップと、をさらに有することを特徴とする。
【００２５】
請求項２０記載の発明は、請求項１４から１９のいずれか１項に記載の発明において、サーバ装置が、受信装置番号と、所定の時間における受信装置番号に対応する受信装置の受信レベルを格納するステップと、サーバ装置が、識別情報と、所定の時間における識別情報に対応する無線発信装置の位置情報を格納するステップと、をさらに有することを特徴とする。
【００２６】
請求項２１記載の発明は、請求項１４から２０のいずれか１項に記載の発明において、サーバ装置は、所定の時間毎に、集約装置又は各受信装置に対して、各受信装置の受信レベルを測定するように指示を出すことを特徴とする。
【００２７】
請求項２２記載の発明は、請求項２０又は２１記載の発明において、サーバ装置は、集約装置又は各受信装置から各受信装置の受信レベルを受信後、受信レベルテーブルを更新することを特徴とする。
【００２８】
請求項２３記載の発明は、請求項２０から２２のいずれか１項に記載の発明において、サーバ装置は、無線発信装置位置特定手段による無線発信装置の位置特定の後、位置情報テーブルを更新することを特徴とする。
【００２９】
請求項２４記載の発明は、請求項１４記載の発明において、選択された受信装置をそれぞれ結んだ領域内に識別情報があるかどうかを判断するステップにおいて、特定された受信装置の受信レベルの高い順に３つの受信装置を選択し、選択された受信装置をそれぞれ結んだ三角形の領域内に識別情報があるかどうかを判断することを特徴とする。
【００３０】
請求項２５記載の発明は、ユーザによって携帯され、識別情報を含む電波信号を発信する無線発信装置と、屋内に設置され、無線発信装置から発信される電波信号を受信し、電波信号に含まれる識別情報を読み取り、電波信号受信時の受信レベルと、識別情報と、設置位置を示す受信装置番号とを発信する、少なくとも３つ以上の受信装置と、少なくとも３つ以上の受信装置から、受信レベル、識別情報、及び受信装置番号を受信するサーバ装置であって、受信装置の位置情報を保持する受信装置位置記憶手段と、受信装置番号と、受信装置位置記憶手段に保持される受信装置の位置情報とを照合して少なくとも３つ以上の受信装置を特定し、特定された受信装置の受信レベルの高い順に複数の受信装置を選択し、選択された受信装置をそれぞれ結んだ領域内に識別情報があるかどうかを判断する無線発信装置位置特定手段とを有し、屋内における無線発信装置の位置を特定することを特徴とする。
【００３１】
請求項２６記載の発明は、請求項２５記載の発明において、受信装置番号と、所定の時間における受信装置番号に対応する受信装置の受信レベルを格納する受信レベルテーブルと、識別情報と、所定の時間における識別情報に対応する無線発信装置の位置情報を格納する位置情報テーブルと、をさらに有することを特徴とする。
【００３２】
請求項２７記載の発明は、請求項２５又は２６記載の発明において、所定の時間毎に、集約装置又は各受信装置に対して、各受信装置の受信レベルを測定するように指示を出すことを特徴とする。
【００３３】
請求項２８記載の発明は、請求項２５から２７のいずれか１項に記載の発明において、集約装置又は各受信装置から各受信装置の受信レベルを受信後、受信レベルテーブルを更新することを特徴とする。
【００３４】
請求項２９記載の発明は、請求項２５から２８のいずれか１項に記載の発明において、無線発信装置位置特定手段による無線発信装置の位置特定の後、位置情報テーブルを更新することを特徴とする。
【００３５】
請求項３０記載の発明は、請求項２５から２９のいずれか１項に記載の発明において、無線発信装置位置特定手段は、特定された受信装置の受信レベルの高い順に３つの受信装置を選択し、選択された受信装置をそれぞれ結んだ三角形の領域内に識別情報があるかどうかを判断することを特徴とする。
【発明の効果】
【００３６】
本発明によれば、展示会場などの広い空間において来場者の位置を正確に特定することができ、来場者が携帯している携帯端末の画面上に表示された会場内の案内図に目的のブースと、来場者の位置を表示することにより、来場者を目的のブースへスムーズに誘導することができる。
【発明を実施するための最良の形態】
【００３７】
以下、本発明を実施するための最良の形態について添付図面を参照して詳細に説明する。
（発明の特徴）
本発明は、あらかじめ来場者を識別する識別情報を書き込んだ無線発信装置と、無線発信装置から無線で発信される識別情報を読み取る少なくとも３つ以上の複数の受信装置と、各受信装置の会場内における位置を記憶している受信装置位置データベースと、識別情報を受信した受信装置の位置を受信装置位置データベースから検出し、検出した受信装置の受信レベル及び識別情報とを基に無線発信装置の位置（来場者の位置）を特定する手段とを有するサーバとを有し、複数の受信装置は会場内において、マトリクス状に配置され、サーバは、無線発信装置から発信される電波を受信した複数の受信装置の中から受信レベルの高い順に上から３つの受信装置を選択して、選択された受信装置をそれぞれ結んだ三角点内に前記発信装置が存在することとして、来場者の位置を特定する。
【００３８】
また、本発明は、来場者が携帯している携帯端末からサーバへアクセスして、来場者の位置を問い合わせると、来場者が携帯している携帯端末の画面に来場者の位置を会場案内図上に表示する。
また、本発明は、来場者があらかじめ、目的のブースまたは店舗をサーバに登録しておき、来場者の携帯端末からサーバへアクセスすると、来場者の携帯端末の画面上に、会場案内図上に目的のブースまたは店舗が表示され、会場内に入ると、来場者の位置と目的のブースまたは店舗との位置関係がわかるようにする。
【００３９】
（実施例の構成）
図１に本発明の実施例であるシステム構成を示す。
無線発信装置１は、屋内の展示会場等の来場者（ユーザ）によって携帯され、装置内に来場者又は無線発信装置自体を識別するための固有の情報（ＩＤ）を記憶しており、無線により固有の情報を送出する。受信装置Ｒ１からＲｎは、無線発信装置１から発信される電波を受信して、電波の信号に含まれる前記固有の情報を読み取り、そのときの受信レベルと、固有の情報と、受信装置に割り当てられた、各受信装置を識別するための受信装置番号（ＩＤ）とを集約装置２へ送出する。
【００４０】
なお、無線発信装置１および受信装置Ｒ１からＲｎは、非接触ＩＣタグの場合、無線発信装置１の装置内に電池を内蔵して、自ら電波を発信するアクティブ型ＲＦＩＤ（Radio Frequency Identification）と、受信装置側から電波を発信させ、無線発信装置１にて、受信すると、電磁誘導により起電力が発生して、電波を発信するパッシブ型ＲＦＩＤの２種類が存在するが、パッシブ型の場合、無線発信装置１から発信される電波の到達範囲が短く、一般的に数ｃｍから１ｍ程度とされている。
【００４１】
近い将来、電波法が改正され、９００ＭＨｚ帯が開放されると、パッシブ型においても電波の到達範囲が、数ｍから１０ｍほどになるとされている。本発明においては、無線発信装置１と受信装置との距離が数ｍから１０数ｍくらいになるので、その範囲で電波が到達可能な方式を採用するものとする。
【００４２】
集約装置２は，受信装置Ｒ１からＲｎのそれぞれと接続されており、各受信装置を制御する受信装置制御部８と、各受信装置から送られてきた固有の情報、受信レベル、及び受信装置番号をサーバ３へ転送する転送部９とを有する。
サーバ３は、屋内の展示会場内に設置された各受信装置の位置を特定するための受信装置位置情報を保持する受信装置位置データベース４と、集約装置２より転送されてきた、無線発信装置１の固有の情報、受信レベル、及び受信装置番号をパラメータとして演算することにより、無線発信装置１の位置を特定する無線発信装置位置特定部１０と、を有する。
【００４３】
通信装置５は、サーバ３と接続され、ネットワーク６を介して外部端末装置等からのアクセス制御やデータの送受信を行う。
ネットワーク６は、インターネットやデータ通信を行う携帯電話網などを包含するネットワーク全体である。携帯端末７は、ブラウザが搭載されたインターネット接続型携帯端末装置であり、携帯電話、ＰＨＳ、ＰＤＡなどである。
【実施例１】
【００４４】
次に、本発明の実施例１として、図１から図６までを用いて無線発信装置１の位置が特定されるまでについて説明する。図２は、サーバ３の処理動作の流れについてのフローチャートである。図３は、無線発信装置１の、所定の時間において各受信装置が無線発信装置１から発信された電波の受信レベルを記憶した受信レベルテーブルであり、サーバ３内にて作成され、保持される。無線発信装置１は無線発信装置１を識別するための固有の情報であるＩＤにより管理される。図４は、無線発信装置１および他の無線発信装置の、所定の時間における位置を演算により特定した結果（無線発信装置の位置情報）を格納する位置情報テーブルであり、サーバ３内にて作成され、保持される。無線発信装置１および他の無線発信装置はＩＤにより管理される。図５は、無線発信装置１と、受信装置Ｒ１からＲ４との位置関係を表したものである。図６は、サーバにアクセス後、携帯端末の画面に表示されたナビゲーション画面である。
【００４５】
仮に、図１において、無線発信装置１から発信される電波Ｓ１からＳ４が展示会場内に設置された受信装置Ｒ１からＲ４に到達しているとする。サーバ３は、一定時間が経過すると（Ｓ１０１／ＹＥＳ）、集約装置２に対して、無線発信装置１から発信される電波について、各受信装置における受信レベルを測定するように集約装置２に指示を出す（Ｓ１０２）。
【００４６】
受信レベルの測定が完了し（Ｓ１０３／ＹＥＳ）、集約装置２より各受信装置における受信レベルがサーバ３に報告されるので、サーバ３は、受信レベルテーブルを更新する（Ｓ１０４）。本実施例では、受信できたのはＳ１からＳ４までの電波が到達した受信装置Ｒ１からＲ４までであり、ほかの受信装置は受信レベル０となる。ここで、受信レベルが報告された時間（本実施例では午前１０時３２分４０秒とした）における、受信装置Ｒ１からＲ４までの受信レベルは図３に示すとおりである。なお、本実施例では、サーバ装置３と受信装置Ｒ１からＲ４との間に集約装置２を設置し、集約装置２を介して通信を行うようにしたが、サーバ装置が受信装置Ｒ１からＲ４と直接通信するようにしてもよい。
【００４７】
次に、サーバ３の無線発信装置位置特定部１０は、受信レベルテーブルにおいて、受信レベルの数値が高い上位３位までの受信装置を選択して（Ｓ１０５）、三角エリアを作成する（Ｓ１０６）。三角エリアを作成したイメージを図５に示す。無線発信装置位置特定部１０は、受信レベルの高い上位３つの受信装置Ｒ１からＲ３における受信レベルにより受信装置Ｒ１からＲ３の三角エリアを形成し（Ｓ１０６）、その中に無線発信装置１の固有の情報が存在するかどうかを判断する。本実施例では、図５に示すように、Ｒ１、Ｒ２、Ｒ３のそれぞれを結んだ三角の領域内に無線発信装置１が存在している。なお、エリアの作成については、三角形に限られるものではなく、三角形以外の形のエリアを作成してもよい。
【００４８】
次に、サーバ３の無線発信装置位置特定部１０は、展示会場における実際のブースの配置などから位置を補正して、無線発信装置１の実際に存在する位置を決定する（Ｓ１０７）。次に、サーバ３は、位置情報テーブルを更新して（Ｓ１０８）、処理を終了する。
次に、携帯端末７からサーバ３へアクセスして、無線発信装置１の位置情報を得て、携帯端末７の画面上に会場内の地図上に無線発信装置１を図６のように表示する。図６において、無線発信装置１の位置をＺ、目的のブースの位置をＸとした例である。例えばＺを点滅として自分の位置をわかりやすくしても良い。
【００４９】
位置情報テーブルを更新するサイクルが短いほど、よりリアルタイムに近い位置情報を得ることができる。ただし、あまり短くすると、サーバの処理に負荷がかかることになるので、実使用上差し支えない範囲で更新時間のサイクル時間を決定すればよい。
【実施例２】
【００５０】
次に、本発明の実施例２を説明する。
上記実施例１では会場が平面での位置情報を得る方法について説明したが、デパートなどのようなフロアが階層別になっているところでも受信装置を各フロアごとに配置すれば本発明で位置情報を得ることができる。この場合、集約装置を各フロアごとに配置しても良いし、集約装置１台で各フロアごとの受信装置を管理しても良い。
以上、本発明の実施例について説明したが、上記実施例に限定されるものではなく、その要旨を逸脱しない範囲において種々の変形が可能である。
【図面の簡単な説明】
【００５１】
【図１】本発明におけるシステム構成図である。
【図２】本発明におけるサーバ動作を示すフローチャートである。
【図３】実施例１における各受信装置の受信レベルを表した表である。
【図４】実施例１における各無線発信装置の位置情報を表した表である。
【図５】実施例１における受信装置と無線発信装置との位置関係を示した図である。
【図６】実施例１における携帯端末の画面である。
【符号の説明】
【００５２】
１    無線発信装置
２    集約装置
３    サーバ
４    受信装置位置データベース
５    通信装置
６    ネットワーク
７    携帯端末
８    受信装置制御部
９    転送部
１０    無線発信装置位置特定部
２０    表示部
Ｒ１〜Ｒｎ    受信装置
Ｓ１〜Ｓ４    無線発信装置から発射された電波
Ｘ    目的のブースの位置
Ｚ    無線発信装置の位置
【図１】
2006023129.tif 000003
【図２】
2006023129.tif 000004
【図３】
2006023129.tif 000005
【図４】
2006023129.tif 000006
【図５】
2006023129.tif 000007
【図６】
2006023129.tif 000008